(57)【要約】【課題】積載物の積み卸しにかかる時間の短縮化を、シンプルな構造により低コストで実現することのできる積載用装置を提供すること。【解決手段】積載物Ｓが載置される載置台２を有し昇降する昇降部３と、一端部が車両または車両に設けられた部材に固定され、他端部が前記昇降部３に固定される連結部材５と、この連結部材５の中間部を持ち上げた状態でガイドするガイド部材６と、このガイド部材６を昇降させることにより前記昇降部３を昇降させる昇降装置７とを備えた。【選択図】図１
0003120154.tif 000002
【実用新案登録請求の範囲】
【請求項１】
積載物が載置される載置台を有し昇降する昇降部と、一端部が車両または車両に設けられた部材に固定され、他端部が前記昇降部に固定される連結部材と、この連結部材の中間部を持ち上げた状態でガイドするガイド部材と、このガイド部材を昇降させることにより前記昇降部を昇降させる昇降装置とを備えたことを特徴とする積載用装置。
【請求項２】
前記連結部材において前記ガイド部材にガイドされる部位と前記昇降部に固定された部位との間に位置する部位を押し下げた状態でガイドする第２ガイド部材が設けられている請求項１に記載の積載用装置。
【請求項３】
前記昇降装置が、油圧ポンプと、油圧シリンダとを備え、前記油圧ポンプが、往復操作によって前記油圧シリンダに油圧を供給するレバーと、開操作によって前記油圧を下げるバルブとを有し、前記油圧シリンダが、前記油圧ポンプにより油圧が内部に供給される筒状部材と、この筒状部材に油圧が供給されると筒状部材内から外方に押し出されるピストンロッドとを有し、前記筒状部材またはピストンロッドに前記ガイド部材が固定されている請求項１または２に記載の積載用装置。
【請求項４】
前記昇降装置が、筒状部材とピストンロッドとを有する駆動用のシリンダを備え、前記筒状部材またはピストンロッドに前記ガイド部材が固定されている請求項１または２に記載の積載用装置。
【請求項５】
前記昇降装置が、油圧ポンプと、油圧電動シリンダとを備え、この油圧電動シリンダが、前記油圧ポンプから前記油圧電動シリンダに油圧を供給する操作および供給された油圧を下げる操作を行う操作部と、この操作部の操作により油圧が内部に供給される筒状部材と、この筒状部材に油圧が供給されると筒状部材内から外方に押し出されるピストンロッドとを有し、前記筒状部材またはピストンロッドに前記ガイド部材が固定されている請求項１または２に記載の積載用装置。
【請求項６】
前記車両の荷台の前後方向に延設されたレール状架台と、このレール状架台にガイドされてスライド移動し、前記連結部材の一端部および昇降装置が固定されるスライド部とを備え、上昇した状態の前記昇降部が、前記スライド部と一体的にスライド移動するように構成されている請求項１〜５のいずれかに記載の積載用装置。
【請求項７】
前記車両が消防自動車であり、前記積載物がポンプである請求項１〜６のいずれかに記載の積載用装置。
【考案の詳細な説明】
【技術分野】
【０００１】
本考案は、例えば、可搬式のポンプや発電機等の重量のある物を消防車やトラック等の車両の荷台に対して積み卸しする際に用いられる積載用装置に関する。
【背景技術】
【０００２】
従来より、車両（例えば消防自動車）の荷台に可搬式のポンプや発電機等の重量物を積載するには大変な労力がかかるため、その積載作業には積載用装置が用いられている。そして、本出願人はこの種の積載用装置についての出願を本出願に先立って行っている（登録実用新案第３０８１１７３号、第３０９３００８号および第３１１０６７８号参照）。
【０００３】
そして、上記の積載用装置を用いれば、前記積載作業にかかる労力を低減することができる。
【考案の開示】
【考案が解決しようとする課題】
【０００４】
しかし、登録実用新案第３０８１１７３号の積載用装置および第３１１０６７８号の積載用装置では、積載物を載置した昇降部の昇降ストロークがダンパー機構のストロークと同じとなり、積載物の昇降スピードの向上（積み卸しにかかる時間の短縮化）が図れないという問題があった。従って、上記積載用装置は、荷台への積載物の積み卸しに緊急を要する場合（例えば消防自動車へのポンプの積み卸し）には不向きとなっていた。
【０００５】
また、登録実用新案第３０９３００８号の積載用装置では、動滑車構造を採用して昇降体の昇降ストロークをダンパー機構のストロークの２倍としているため、昇降体の昇降スピードの向上を図ることができるが、動滑車構造の採用に伴い部材点数が増えて構造が複雑化し、製造コストが上がってしまうという問題があった。
【０００６】
この考案は上述の事柄に留意してなされたもので、その目的は、積載物の積み卸しにかかる時間の短縮化を、シンプルな構造により低コストで実現することのできる積載用装置を提供することである。
【課題を解決するための手段】
【０００７】
上記目的を達成するために、本考案の積載用装置は、積載物が載置される載置台を有し昇降する昇降部と、一端部が車両または車両に設けられた部材に固定され、他端部が前記昇降部に固定される連結部材と、この連結部材の中間部を持ち上げた状態でガイドするガイド部材と、このガイド部材を昇降させることにより前記昇降部を昇降させる昇降装置とを備えたことを特徴としている（請求項１）。
【０００８】
上記積載用装置において、前記連結部材において前記ガイド部材にガイドされる部位と前記昇降部に固定された部位との間に位置する部位を押し下げた状態でガイドする第２ガイド部材が設けられていてもよい（請求項２）。
【０００９】
また、上記積載用装置において、前記昇降装置が、油圧ポンプと、油圧シリンダとを備え、前記油圧ポンプが、往復操作によって前記油圧シリンダに油圧を供給するレバーと、開操作によって前記油圧を下げるバルブとを有し、前記油圧シリンダが、前記油圧ポンプにより油圧が内部に供給される筒状部材と、この筒状部材に油圧が供給されると筒状部材内から外方に押し出されるピストンロッドとを有し、前記筒状部材またはピストンロッドに前記ガイド部材が固定されていてもよい（請求項３）。
【００１０】
また、上記積載用装置において、前記昇降装置が、筒状部材とピストンロッドとを有する駆動用のシリンダを備え、前記筒状部材またはピストンロッドに前記ガイド部材が固定されていてもよい（請求項４）。より具体的には、上記積載用装置において、前記昇降装置が、油圧ポンプと、油圧電動シリンダとを備え、この油圧電動シリンダが、前記油圧ポンプから前記油圧電動シリンダに油圧を供給する操作および供給された油圧を下げる操作を行う操作部と、この操作部の操作により油圧が内部に供給される筒状部材と、この筒状部材に油圧が供給されると筒状部材内から外方に押し出されるピストンロッドとを有し、前記筒状部材またはピストンロッドに前記ガイド部材が固定されていてもよい（請求項５）。
【００１１】
また、前記積載用装置が、前記車両の荷台の前後方向に延設されたレール状架台と、このレール状架台にガイドされてスライド移動し、前記連結部材の一端部および昇降装置が固定されるスライド部とを備え、上昇した状態の前記昇降部が、前記スライド部と一体的にスライド移動するように構成されていてもよい（請求項６）。
【００１２】
また、上記積載用装置において、前記車両が消防自動車であり、前記積載物がポンプであってもよい（請求項７）。
【考案の効果】
【００１３】
請求項１に係る本考案では、昇降装置によりガイド部材を昇降させると、このガイド部材の昇降スピードの２倍のスピードで昇降部が昇降するので、昇降部の載置台に載置した積載物の積み卸しにかかる時間の短縮化を図ることができる積載用装置が得られる。また、この積載用装置は、シンプルな構造を有し、低コストで製造することができる。
【００１４】
請求項２に係る考案では、上記効果に加えて、第２ガイド部材を設けることにより、昇降部の昇降スピードをガイド部材の昇降スピードの４倍とすることができ、積載物の積み卸しにかかる時間の短縮化をより一層図ることができるという効果が得られる。
【００１５】
請求項３に係る考案では、上記効果に加えて、前記レバーおよびバルブを作業者の腰の高さあたりに設けることにより、作業者が積載物の積み卸し作業中に腰をかがめる頻度を減らすことができ、作業にかかる負担が大いに軽減されるという効果が得られる。
【００１６】
請求項４に係る考案では、駆動用のシリンダにより昇降装置の駆動を自動的に行うことができ、その駆動に必要な労力を低減することができるという効果が得られる。さらに、請求項５に係る考案では、上記効果に加えて、前記操作部を作業者の腰の高さあたりに設けることにより、作業者が積載物の積み卸し作業中に腰をかがめる頻度を減らすことができる上、昇降部を昇降させるための作業も操作部を操作するだけですむので、作業にかかる負担が極めて軽減されるという効果が得られる。
【００１７】
請求項６に係る考案では、上記効果に加えて、レール状架台およびスライド部により、昇降部の載置台に載置した積載物を移動させて荷台上の任意の位置に簡単に格納することができるようになるという効果が得られる。
【００１８】
そして、消防自動車の荷台に格納されるポンプは、消化活動等のために荷台から迅速に卸す必要に迫られることが多く、上記種々の効果は、前記積載用装置を請求項７に記載したように構成した場合に特に好適に発揮されることになる。
【考案を実施するための最良の形態】
【００１９】
図１は、本考案の一実施の形態に係る積載用装置の構成を概略的に示す斜視図、図２および図３は、前記積載用装置の構成を概略的に示す側面図および平面図である。
【００２０】
この実施形態の積載用装置は、図２に示すように、重量のある積載物Ｓ（この実施形態ではポンプ）を車両（この実施形態では消防自動車）の荷台１に対して簡単に積み卸しすることができるように、積載物Ｓが載置される載置台２を有し路面から荷台１上までの間を昇降する昇降部３を用いて前記積載物Ｓを昇降させるように構成されている。
【００２１】
すなわち、前記積載用装置は、図１〜図３に示すように、前記昇降部３と、一端部が車両の荷台１上に設けられたスライド部４に固定され、他端部が前記昇降部３に固定される線状の連結部材５と、この連結部材５の中間部を持ち上げた状態でガイドするガイド部材６と、このガイド部材６を昇降させることにより前記昇降部３を昇降させる昇降装置７とを備えている。
【００２２】
前記昇降部３は、前記載置台２の他に、この載置台２に立設された一対の垂直部材８，８と、水平に延びて両端が一対の垂直部材８，８に連設された水平部材９とを備えている。また、前記載置台２には、図２および図３に示すように、把手２ａが設けられている（図１では図示を省略してある）。
【００２３】
前記スライド部４は、図１〜図３に示すように、荷台１上において車両の前後方向に延設された一対のレール状架台１０にガイドされ、車両の前後方向にスライド移動するように構成されている。そのため、スライド部４の左右両側にはレール状架台１０に当接するローラ１１（図１参照）が設けられている。
【００２４】
また、前記スライド部４は、図１に示すように、上下方向に延設された一対のフレームガイド１２，１２を有し、前記垂直部材８，８が一対のフレームガイド１２，１２にガイドされた状態で昇降部３が上下方向にスライド移動するように構成されている。そのため、垂直部材８，８にはそれぞれ、フレームガイド１２に当接するローラ１３が設けられている。このように、フレームガイド１２，１２に垂直部材８，８をガイドさせることにより、昇降部３の姿勢が昇降時および停止時のいずれにおいても常に安定することになる。
【００２５】
前記連結部材５は、この実施形態ではチェーンよりなり、連結部材５の他端部は、図１に示すように、昇降部３の前記水平部材９の中央部に固定されている。
【００２６】
前記ガイド部材６は、チェーンで構成された連結部材５に対応させてチェーンガイドよりなり、例えば、超高分子量ポリエチレンを材質とする作新工業株式会社製のニューライト（商標名）を用いて構成されている。
【００２７】
前記昇降装置７は、図１〜図３に示すように、油圧ポンプ１４と、立設された油圧シリンダ１５とを備えている。前記油圧ポンプ１４は、手動による往復操作によって前記油圧シリンダ１５に油圧を供給するレバー１６と、開操作によって前記油圧を下げるバルブ１７（図２参照）とを有している。一方、前記油圧シリンダ１５は、前記油圧ポンプ１４により油圧が内部に供給される筒状部材１８と、この筒状部材１８に油圧が供給されると筒状部材１８内から外方に押し出されるピストンロッド１９とを有している。そして、このピストンロッド１９の先端部に前記ガイド部材６が固定されている。また、図１および図３に示すように、可撓性チューブ２０を介して油圧ポンプ１４から油圧シリンダ１５への油圧の供給が行われる。
【００２８】
次に、上記の構成からなる積載用装置の作動について、図４（Ａ）および（Ｂ）をも参照しながら説明する。図４（Ａ）および（Ｂ）は、前記積載用装置の要部の作動を概略的に示す説明図である。
【００２９】
まず、昇降部３は、図４（Ａ）に示す上昇位置（載置台２がスライド部４と同じ高さとなる位置）にある状態では、レール状架台１０にガイドされたスライド部４とともに車両の前後方向に移動可能となっている。そして、昇降部３の載置台２に載置された状態で荷台１の前部に格納されている積載物Ｓを車両から卸すには、まず、昇降部３およびスライド部４を車両の後部側へと移動させ、レール状架台１０の後端部に停止させる。これにより、前記昇降部３が下降可能となる。
【００３０】
続いて、前記昇降部３を降下させるために、油圧ポンプ１４に設けられたバルブ１７を開操作する。この操作により、油圧シリンダ１５に供給されていた油圧が低下し、昇降部３の自重と積載物Ｓの重量とによってピストンロッド１９が押し下げられ、これに伴って、昇降部３も下降して、図４（Ｂ）に示す下降位置（路面に着地した位置）で停止する。そして、下降位置に停止した昇降部３の載置台２から積載物Ｓを卸し、前記バルブ１７を閉操作する。
【００３１】
反対に、積載物Ｓを車両の荷台１に格納するには、まず、図４（Ｂ）に示す下降位置にあり上昇可能な状態となっている昇降部３の載置台２に積載物Ｓを積み込み、油圧ポンプ１４のレバー１６を上下に往復操作する。この操作により、油圧シリンダ１５に油圧が供給され、ピストンロッド１９が押し上げられ、これに伴って、昇降部３も上昇して、図４（Ａ）に示す上昇位置で停止する。この停止後、前記レバー１６を適宜に固定する。
【００３２】
そして、上昇位置に停止した昇降部３はスライド部４とともに車両の前部側へと移動可能な状態となるので、スライド部４を利用して昇降部３を荷台１の前部へと移動させ、適宜の位置で停止させることにより、積載物Ｓの格納が完了する。
【００３３】
上記の構成からなる積載用装置では、油圧シリンダ１５のピストンロッド１９の上下方向の移動に伴って、連結部材５に吊り下げられた状態の昇降部３が昇降し、昇降部３の昇降ストロークおよび昇降スピードはピストンロッド１９の移動ストロークおよび移動スピードのそれぞれ２倍となる。従って、昇降部３の昇降スピードが向上し、積載物Ｓの積み卸しにかかる時間の短縮化を図ることができる。
【００３４】
また、上記積載用装置では、作業者は昇降部３に対して積載物Ｓを積み卸しする以外は立ったままの状態で作業をすることができるので、腰をかがめる頻度が減り、それだけ労力が削減されることになる。
【００３５】
さらに、上記積載用装置では、油圧ポンプ１４のバルブ１７を閉操作することで、昇降部３を任意の位置に停止させることができるので、それだけ利便性の点で優れたものとなる。
【００３６】
上記実施の形態は、種々に変形して実施することができ、以下にその変形例について具体的に述べる。まず、前記連結部材５の一端部が固定されるのはスライド部１に限られず、車両に設けられた他の部材でもよく、車両の一部であってもよい。
【００３７】
また、前記ガイド部材６が固定されるのはピストンロッド１９の先端部に限られず、筒状部材１８の先端部でもよい。この場合、図５（Ａ）および（Ｂ）に示すように、ピストンロッド１９が下側になるように油圧シリンダ１５を配置すればよい。
【００３８】
さらに、前記連結部材５には、チェーンの他に、ベルト（例えばタイミングベルト）やワイヤーなどを用いることができ、これに対応させて、ガイド部材６には、スプロケットやプーリなどを用いることができる。
【００３９】
また、図６（Ａ）および（Ｂ）に示すように、前記連結部材５において前記ガイド部材６にガイドされる部位と前記昇降部３に固定された部位との間に位置する部位を押し下げた状態でガイドする第２ガイド部材２１を設けてもよい。この場合、油圧シリンダ１５のピストンロッド１９の上下方向の移動に伴って、連結部材５に吊り下げられた状態の昇降部３が昇降する際、昇降部３の昇降ストロークおよび昇降スピードはピストンロッド１９の移動ストロークおよび移動スピードのそれぞれ４倍となる。従って、昇降部３の昇降スピードがさらに向上し、積載物Ｓの積み卸しにかかる時間の短縮化を一層図ることができる。この場合、前記第２ガイド部材２１としては、例えばスプロケットを用いることができる。
【００４０】
ここで、上記実施の形態では、手動式の油圧シリンダ１５を用いていたが、これに代えて、自動式の油圧シリンダ（油圧電動シリンダ）を用いてもよい。この油圧電動シリンダとしては、前記油圧ポンプ１４から前記油圧電動シリンダに油圧を供給する操作および供給された油圧を下げる操作を行う操作部（図示していない）と、この操作部の操作により油圧が内部に供給される筒状部材と、この筒状部材に油圧が供給されると筒状部材内から外方に押し出されるピストンロッドとを有するものが挙げられる。また、この場合、前記操作部としては、例えば、油圧電動シリンダに油圧を供給する操作（ピストンロッドを上昇させる操作）を行うためのボタンと、供給された油圧を下げる操作（ピストンロッドを下降させる操作）を行うためのボタンとを備えたものや、これらの機能を発揮するレバーを備えたもの等が挙げられる。なお、前記自動式の油圧シリンダ（油圧電動シリンダ）に代えて、他の駆動用の電動シリンダ等を用いてもよいのはもちろんである。
【図面の簡単な説明】
【００４１】
【図１】本考案の一実施の形態に係る積載用装置の構成を概略的に示す斜視図である。
【図２】前記積載用装置の構成を概略的に示す側面図である。
【図３】前記積載用装置の構成を概略的に示す平面図である。
【図４】（Ａ）および（Ｂ）は、前記積載用装置の要部の作動を概略的に示す説明図である。
【図５】（Ａ）および（Ｂ）は、前記積載用装置の要部の変形例の構成を概略的に示す説明図である。
【図６】（Ａ）および（Ｂ）は、前記積載用装置の要部の他の変形例の構成を概略的に示す説明図である。
【符号の説明】
【００４２】
２  載置台
３  昇降部
５  連結部材
６  ガイド部材
７  昇降装置
Ｓ  積載物
【図１】
0003120154.tif 000003
【図２】
0003120154.tif 000004
【図３】
0003120154.tif 000005
【図４】
0003120154.tif 000006
【図５】
0003120154.tif 000007
【図６】
0003120154.tif 000008